(57)【要約】【課題】継手等の接続体で発生した結露水が管体と断熱材との隙間内に入いり込んで管体を伝って流れるうちにいずれかの箇所で水滴となって落下するのを防止し、また、結露水が管体に外装された断熱材内に浸入するのを防止する。【解決手段】断熱材４１が外装された管体４０に接続される接続体１０と、管体４０が貫通する貫通孔２１、貫通孔２１を取り囲む環状の立設筒部２２、及び断熱材４１の端面４２に沿う方向に延びる水切り壁２３、を有する水切り部材２０と、立設筒部２２と立設筒部２２内から断熱材４１の反対側に延びる接続体１０とに跨って配置され、熱により収縮する熱収縮チューブ３０と、を備えた。【選択図】図３
2018132148.tif 000002
【特許請求の範囲】
【請求項１】
断熱材が外装された管体に接続される接続体と、
前記管体及び前記接続体の少なくとも一方が貫通する貫通孔と、該貫通孔を取り囲む環状の立設筒部と、前記断熱材の端面に沿う方向に延びる水切り壁と、を有する水切り部材と、
前記立設筒部と該立設筒部内から前記断熱材の反対側に延びる前記接続体とに跨って配置され、熱により収縮する熱収縮チューブと、
を備えたことを特徴とする断熱材付管体に接続される接続体装置。
【請求項２】
前記貫通孔の全周を取り囲むようにして前記断熱材の端面の少なくとも一部を覆う覆い部を有することを特徴とする請求項１に記載の断熱材付管体に接続される接続体装置。
【請求項３】
前記覆い部は、前記断熱材の端面の全体を覆うことを特徴とする請求項２に記載の断熱材付管体に接続される接続体装置。
【請求項４】
前記水切り壁に、前記断熱材の端部を圧入により受け入れる受け部が設けられていることを特徴とする請求項１乃至請求項３のいずれかに記載の断熱材付管体に接続される接続体装置。
【請求項５】
前記水切り壁に、前記断熱材側に向けて立設し、前記断熱材の外面に当接する当接環状部が設けられていることを特徴とする請求項１乃至請求項４のいずれかに記載の断熱材付管体に接続される接続体装置。
【請求項６】
前記水切り壁の端縁は、前記当接環状部の外面を超えて突出していることを特徴とする請求項５に記載の断熱材付管体に接続される接続体装置。
【請求項７】
前記熱収縮チューブは、内面に接着層が設けられていることを特徴とする請求項１乃至請求項６のいずれかに記載の断熱材付管体に接続される接続体装置。
【請求項８】
前記立設筒部の内面に、該立設筒部内に嵌入される前記管体または前記接続体との間に部分的に空隙が形成されるように当接する当接部が設けられていることを特徴とする請求項１乃至請求項７のいずれかに記載の断熱材付管体に接続される接続体装置。
【請求項９】
前記立設筒部は、内部に嵌入される前記接続体が該立設筒部の中心軸回りに回動するのを規制するように形成されていることを特徴とする請求項１乃至請求項８のいずれかに記載の断熱材付管体に接続される接続体装置。
【請求項１０】
断熱材が外装された管体及び該管体に接続される接続体の少なくとも一方が貫通する貫通孔と、
前記貫通孔を取り囲む環状の立設筒部と、
前記断熱材の端面に沿う方向に延びる水切り壁と、
を備え、
熱により収縮する熱収縮チューブが前記立設筒部と前記接続体とに跨って配置されるように設けられていることを特徴とする接続体の水切り部材。
【請求項１１】
流体が内部を流れる流体管路が貫通する貫通孔と、前記流体管路に外装された断熱材の端面を覆う覆い部と、前記貫通孔を取り囲むようにして前記断熱材の反対側に立設する環状の立設筒部と、を有する覆い部材と、
前記立設筒部と該立設筒部内から延出した流体管路とに跨って配置され、熱により収縮する熱収縮チューブと、
を備えたことを特徴とする流体管路を覆う断熱材端部の覆い構造。
【請求項１２】
前記覆い部材の覆い部と前記断熱材の端面との間は封止されていることを特徴とする請求項１１に記載の流体管路を覆う断熱材端部の覆い構造。
【発明の詳細な説明】
【技術分野】
【０００１】
本発明は、断熱材が外装された冷水配管、温水配管等の管体に接続される継手等の接続体や、管体における断熱材が外装されていない箇所に発生した結露水を特定箇所に排出し、また、結露水が断熱材に浸入するのを防止する、断熱材付管体に接続される接続体装置、接続体の水切り部材、及び流体管路を覆う断熱材端部の覆い構造に関するものである。
【背景技術】
【０００２】
ファンコイルユニットなどの空調機は、熱交換機、送風機、エアフィルタが内蔵された室内ユニットに冷水または温水が供給され、温度調節が行なわれている。冷水または温水は室外の熱源設備で作られ、冷水配管、温水配管等の管体を介して室内ユニットに送られる。管体は断熱により内部を通流する冷水または温水を保温するため、断熱材が外装されている。管体は継手等の接続体によって室内ユニットに接続されている。
【０００３】
配管の途中には室内ユニットのメンテナンス等のために一時的に配水の流れを遮断するための継手やドレン排水などのための継手などの接続体が設けられている。この空調機に使用されている管体の接続体は、例えば特許文献１に開示されている。特許文献１に記載のドレンホース接続構造は、内層のホース部と外層の断熱材部とで構成されたドレンホースと、ドレン排水口とが、継手筒部を介して取り付けられている。
【先行技術文献】
【特許文献】
【０００４】
【特許文献１】特開２０１５−１０５７８９号公報
【発明の概要】
【発明が解決しようとする課題】
【０００５】
しかし、従来の配管構造は、冷水管、温水管等の管体は断熱材が外装されて保温されているが、継手等の接続体などにはその形状の複雑さなどから断熱材は外装されておらず露出した状態にあるため、管体内に冷水が流れたときに、断熱材が外装されていない接続体や、その周辺の断熱材が外装されていない管体には結露が発生することがある。これらの部材に生じた結露水が断熱材で外装された管体側に伝って流れていくと、管体と断熱材との僅かな隙間内に結露水が入いり込んでこの隙間内を流れるうちにいずれかの箇所で水滴となって落下することがあった。また、結露水が断熱材の内部に浸入しいずれかの箇所で染み出たり、結露水によって断熱材が腐食したりかびが発生することがあった。
【０００６】
なお、特許文献１に記載のドレンホース接続構造の場合は、接続体である継手筒部はエルボで形成されていて水平方向から垂直方向に配管向きを変え、断熱材が外装されたドレンホースは垂直方向に立ち上がっているので、断熱材が外装されていない継手筒部に結露が発生しても、結露水は、内層のホース部と外層の断熱材部との隙間内には一般には流れないのであるが、ドレンホースがこのような配設位置でなく、水平方向や下方の姿勢にある場合は同様に前記隙間内に結露水が流れ込むことがあり得る。
【０００７】
そこで、本発明は、継手等の接続体で発生した結露水が管体の断熱材で外装された部分にまで流れるのを遮断して特定の箇所で排出させることにより、結露水が管体と断熱材との隙間内に入いり込んで管体を伝って流れるうちにいずれかの箇所で水滴となって落下するのを防止でき、また、結露水が管体に外装された断熱材内に浸入するのを防止できる、断熱材付管体に接続される接続体装置、接続体の水切り部材、及び流体管路を覆う断熱材端部の覆い構造の提供を課題とするものである。
【課題を解決するための手段】
【０００８】
請求項１の断熱材付管体に接続される接続体装置は、断熱材が外装された管体に接続される接続体と、
前記管体及び前記接続体の少なくとも一方が貫通する貫通孔と、該貫通孔を取り囲む環状の立設筒部と、前記断熱材の端面に沿う方向に延びる水切り壁と、を有する水切り部材と、
前記立設筒部と該立設筒部内から前記断熱材の反対側に延びる前記接続体とに跨って配置され、熱により収縮する熱収縮チューブと、
を備えている。
請求項２の接続体装置は、貫通孔の全周を取り囲むようにして断熱材の端面の少なくとも一部を覆う覆い部を有している。
請求項３の接続体装置は、覆い部が、断熱材の端面の全体を覆っている。
【０００９】
これにより、請求項１乃至３の接続体装置においては、水切り部材の立設筒部と接続体とに跨って熱収縮チューブが配置されているとともに、立設筒部は管体等が貫通する貫通孔を取り囲んでいるので、接続体に発生した結露水の排出箇所が特定され、結露水は熱収縮チューブの外面を伝って水切り壁の前方すなわち接続体側の周辺で落下する。その結果、結露水が管体の外面を伝って断熱材との隙間内に流れ込むのが遮断され、この隙間内を通過するうちにいずれかの箇所で水滴となって落下するのが防止される。また、断熱材の端面に沿う方向に水切り壁が設けられているので、結露水が断熱材の内部に浸入するのが防止される。
また、請求項２の覆い部は、断熱材の端面の一部を覆うものである場合は、覆い部ひいては水切り部材全体が小型となる。
【００１０】
請求項４の接続体装置は、水切り壁に、断熱材の端部を圧入により受け入れる受け部が設けられている。
請求項５の接続体装置は、水切り壁に、断熱材側に向けて立設し、断熱材の外面に当接する当接環状部が設けられている。
請求項６の接続体装置は、水切り壁の端縁が、当接環状部の外面を超えて突出している。
請求項５及び請求項６の発明によれば、水切り壁の前方すなわち接続体側の周辺で流れ落ちる結露水が水切り壁の後方の断熱材側にまで回り込むのが防止される。
【００１１】
請求項７の接続体装置は、熱収縮チューブの内面に接着層が設けられている。これにより、熱収縮チューブは立設筒部と接続体とに跨ってより強固に固定することができる。
請求項８の接続体装置は、立設筒部の内面に、管体または接続体との間に部分的に空隙が形成されるように当接する当接部が設けられている。これにより、冷却水により冷却された管体または接続体によって立設筒部自体が冷却されるのが抑えられる。
請求項９の接続体装置は、立設筒部が、内部に嵌入される接続体が立設筒部の中心軸回りに回動するのを規制するように形成されている。
【００１２】
請求項１０の接続体の水切り部材は、断熱材が外装された管体及び該管体に接続される接続体の少なくとも一方が貫通する貫通孔と、貫通孔を取り囲む環状の立設筒部と、断熱材の端面に沿う方向に延びる水切り壁と、を備え、熱により収縮する熱収縮チューブが前記立設筒部と前記接続体とに跨って配置されるように形成されている。
請求項１０の接続体の水切り部材は、請求項１の接続体装置の水切り部材と同様の構成であり、請求項１の接続体装置と同様に作用する。
【００１３】
請求項１１の流体管路を覆う断熱材端部の覆い構造は、流体が内部を流れる流体管路が貫通する貫通孔と、前記流体管路に外装された断熱材の端面を覆う覆い部と、前記貫通孔を取り囲むようにして前記断熱材の反対側に立設する環状の立設筒部と、を有する覆い部材と、
前記立設筒部と該立設筒部内から延出した流体管路とに跨って配置され、熱により収縮する熱収縮チューブと、
を備えている。
請求項１１の流体管路を覆う断熱材端部の覆い構造は、請求項１の接続体装置との関係において、覆い部及び覆い部材は、それぞれ請求項１の水切り壁及び水切り部材となっており、請求項１１の流体管路は、請求項１の管体を意味する他、管体及び接続体の双方を意味する場合もある。
【００１４】
請求項１２の流体管路を覆う断熱材端部の覆い構造は、覆い部材の覆い部と断熱材の端面との間が封止されている。これにより、湿気を帯びた外気が覆い部と断熱材の端面との間から流体管路の管体側に流入して流体管路内を流れる冷水により冷却されることによって結露が発生し、結露水が流体管路のいずれかの箇所で落下するのが確実に防止される。
【発明の効果】
【００１５】
本発明は、水切り壁が設けられ、また、水切り部材の立設筒部と接続体とに跨って熱収縮チューブが配置されているとともに、立設筒部は管体等が貫通する貫通孔を取り囲んでいるので、接続体や管体の外面に発生した結露水が管体における断熱材で外装された部分にまで流れるのを遮断し結露水を特定の箇所で排出させるため、結露水が管体と断熱材との隙間内に流れ込むのを防止でき、また、結露水が管体に外装された断熱材内に浸入するのを防止できる。その結果、結露水が好ましくない箇所に落下してその周辺部が汚れるのを防止できる。また、断熱材内に結露水が浸入していずれかの箇所で染み出て落下したり、断熱材が腐食したりかびが発生するのを防止することができる。
【図面の簡単な説明】
【００１６】
【図１】本発明の第一実施形態の接続体装置の斜視図である。
【図２】図１の接続体装置の側面図である。
【図３】図１の接続体装置の断面図である。
【図４】図３の熱収縮チューブを収縮させた状態を示す要部拡大断面図である。
【図５】図３の熱収縮チューブ等が設けられていない場合の不具合を説明する説明図である。
【図６】図１の水切り部材を示し、(a)は斜視図、(b)は(d)のＡ−Ａ切断線による断面図、(c)は側面図、(d)は正面図である。
【図７】図１の接続体を示し、(a)は斜視図、(b)は側面図である。
【図８】図１とは別の水切り部材を示し、(a)は斜視図、(b)は正面図である。
【図９】図８の水切り部材を備えた接続体装置の断面図である。
【図１０】本発明の第二実施形態の接続体装置を示す断面図である。
【図１１】図１０の熱収縮チューブを収縮させた状態を示す要部拡大断面図である。
【発明を実施するための形態】
【００１７】
〈第一実施形態〉
まず、本発明の第一実施形態の断熱材付管体に接続される接続体装置を図１乃至図９に基づいて説明する。
【００１８】
本実施形態の接続体装置は、ファンコイルユニットなどの空調機において、室外の熱源設備で作られた冷水または温水を供給する冷水配管、温水配管等の管体が室内ユニットに接続される箇所に設置されている。ここで使用される管体は内部を通流する冷水または温水の保温のために断熱材が外装されている。
【００１９】
図１乃至図３は、接続体装置１に、断熱材４１が外装された管体４０が接続された状態を示す。接続体装置１は、接続体１０と、水切り部材２０と、熱により収縮する熱収縮チューブ３０と、を備えている。接続体１０は、管体４０に接続される継手からなる。また、水切り部材２０は、管体４０が貫通する貫通孔２１と、貫通孔２１を取り囲む環状の立設筒部２２と、断熱材４１の端面４２に沿う方向に延びる水切り壁２３と、を有している。熱収縮チューブ３０は、立設筒部２２と該立設筒部２２内から断熱材４１との反対側に延びる接続体１０とに跨って配置されている。接続体１０の他端側は、室内ユニットであるファンコイルユニット本体に接続されるが、その部分の説明は省略する。以下、各構成部材について詳細に説明する。
【００２０】
本実施形態の接続体１０は、具体的には、図７に示すように、ファンコイルユニット本体のメンテナンスなどで一時的に配水の流れを遮断するための、弁体及び弁体を操作するためのハンドルからなる操作部１１を備えた継手からなる。接続体１０の両端の接続部１２，１３はいずれも外形が正八角形で同大に形成され、内面には雌ねじが形成されている。また、接続体１０の両端の接続部１２，１３の間は接続部１２，１３より僅かに大きい外径の円筒部１４となっている。接続体１０は、このように弁体や操作部１１を備え形状が複雑であり、断熱材で覆われてはおらず、外面は露出している。このため、冷水が流れたとき、接続体１０は冷却され、外面には結露が生じ易い。
【００２１】
管体４０は、塩化ビニル樹脂等からなる合成樹脂管、金属管などで形成され、保温のため外面には発泡樹脂、ゴム等からなる断熱材４１が被覆されている。
【００２２】
水切り部材２０は、図６に示す形態に形成され、合成樹脂により一体に形成されている。水切り部材２０を構成する水切り壁２３は一定厚の円板状に形成され、図３に示すように、外径は管体４０の断熱材４１更には後述する当接環状部２５より大きい。すなわち、水切り壁２３の端縁２３ａは、当接環状部２５の外面を超えてその外方にまで突出している。
【００２３】
水切り壁２３の中央部には管体４０が貫通する貫通孔２１が水切り壁２３と同心に設けられており、貫通孔２１の内径は管体４０の外径と略同一の大きさに形成されている。貫通孔２１の外周側には該貫通孔２１を取り囲むように環状の立設筒部２２が水切り壁２３における接続体１０側の面からこれと直交する方向に立設されており、その高さは接続体１０の一側である立設筒部２２側の接続部１２の軸方向長さと略同一の大きさに形成されている。立設筒部２２は、接続体１０の一側の接続部１２の形状に対応して八角筒状に形成され、その内部に接続体１０の接続部１２ががたつくことなく緊密に嵌入するようになっている。これにより、立設筒部２２は、内部に嵌入される接続体１０が立設筒部２２の中心軸回りに回動するのが規制されるものとなっている。
【００２４】
加えて、立設筒部２２の内面には、図６に示すように、接続体１０の接続部１２の外面との間に部分的に空隙が形成されるように当接する小突条からなる当接部２４が立設筒部２２の内面に沿ってその軸方向に突設されている。当接部２４は立設筒部２２の内面において軸方向の全長に至って形成してもよくその一部のみに形成してもよい。この当接部２４により、冷却水によって冷却された接続体１０の接続部１２と立設筒部２２との接触面積が小さくなるとともにこれらの間に空気層が形成されるので、冷却水によって立設筒部２２が冷却されるのが抑制される。また、立設筒部２２内に接続体１０の接続部１２ががたつくことなく緊密に嵌入される。
【００２５】
更に、水切り壁２３における立設筒部２２とは反対側の面である裏面２３ｂには、管体４０に外装された断熱材４１に向けて断熱材４１の外面に当接する当接環状部２５が立設されており、この当接環状部２５は内部に断熱材４１の端部４３が圧入されるように受け入れる受け部２６を構成するものともなっている。当接環状部２５は円筒状に形成され、水切り壁２３と一体に立設され、水切り壁２３から立ち上がる部分である基端部２５ａから先端開口２５ｂに向けて僅かに縮径し、内部に断熱材４１の端部４３が圧入され、先端開口２５ｂの周辺部の内面が断熱材４１の外面に当接するように形成されている。断熱材４１は、受け部２６内に圧入された後、先端の端面４２は水切り壁２３の裏面２３ｂに当接する。
【００２６】
加えて、図３に示すように、水切り壁２３の裏面２３ｂと断熱材４１の端面４２との間はコーキング剤、シーリング剤等の充填、接着剤の塗布などによる封止材２７によって気密状態に封止されている。
【００２７】
熱収縮チューブ３０は、立設筒部２２の外面と接続体１０の円筒部１４の外面とに跨って配置されており、熱を加えることによって収縮し、立設筒部２２の外面及び接続体１０の円筒部１４の外面に密接する。
【００２８】
熱収縮チューブ３０は、図示しないが、必要に応じて、立設筒部２２の外面及び接続体１０の外面に密接する側の面である内面３１に、熱溶融する接着層を設けてもよい。熱収縮チューブ３０にこの接着層を設けた場合は、熱収縮チューブ３０をより強固に立設筒部２２の外面及び接続体１０の外面に密着固定することができる。
【００２９】
ここで、水切り部材２０及び水切り壁２３は、結露水が断熱材４１側にまで浸入するのを阻止するものであるが、断熱材４１の端面４２を覆うので、それぞれ断熱材４１の端面４２を覆う「覆い部材」及び「覆い部」ということもできる。
【００３０】
このように構成された接続体装置１と管体４０とを接続するには、予め接続体１０の円筒部１４に熱収縮チューブ３０を外挿し、接続体１０の一側の接続部１２をその先端が水切り壁２３に当接するまで水切り部材２０の立設筒部２２内に挿入する。次いで、管体４０に外装された断熱材４１を圧入によって水切り部材２０の当接環状部２５内の受け部２６内に挿入しながら管体４０の端部４３の雄ねじ部４４と接続体１０の接続部１２とを螺着し、管体４０と接続体１０とを接続する。これに伴い、熱収縮チューブ３０は接続体１０の円筒部１４と水切り部材２０の立設筒部２２とに跨ってそれらの外面に配置された状態となる。その後、熱収縮チューブ３０を加熱すれば、図４に示すように、熱収縮チューブ３０は縮径し、接続体１０の円筒部１４の外面及び水切り部材２０の立設筒部２２の外面に密接する。
【００３１】
本発明では、熱収縮チューブ３０を使用することにより、鋳造により製造された接続体１０の継手の円筒部１４の外面が多数の小さい凹凸のあるざらついた面であっても、熱収縮チューブ３０はそれらのざらつき面になじんで熱収縮するので、熱収縮チューブ３０は接続体１０の円筒部１４の外面及び水切り部材２０の立設筒部２２の外面に隙間無く密接する。したがって、接続体１０の外面に発生した結露が水となって、熱収縮チューブ３０と、接続体１０の円筒部１４の外面及び水切り部材２０の立設筒部２２の外面との間に浸入するのが防止される。
【００３２】
次に、本実施形態の接続体装置１の作用を説明する。
接続体装置１は、水切り壁２３が設けられ、また、水切り部材２０の立設筒部２２と接続体１０とに跨って熱収縮チューブ３０が配置されているとともに、立設筒部２２は管体４０等が貫通する貫通孔２１を取り囲んでいるので、接続体１０の外面に発生した結露水が貫通孔２１内を通って管体４０における断熱材４１で外装された部分にまで流れ込むのを防止し、水切り壁２３より前方である立設筒部２２周辺の特定の箇所に排出させる。これにより、結露水が更に管体４０と断熱材４１との隙間内に流れ込むのが防止され、また、結露水が断熱材４１内に浸入するのが防止される。
【００３３】
ここで、熱収縮チューブ３０を設けた点について説明を加えると、仮に、図５に示すように、熱収縮チューブ３０が設けられていないとすると、結露水は、図５の実線矢印で示すように、接続体１０の円筒部１４の外面から水切り部材２０の立設筒部２２と接続体１０の接続部１２との間に浸入し、水切り壁２３に沿って管体４０の外面に落下し、更に貫通孔２１を通過して管体４０と断熱材４１との間を図５の左方向に流れ、いずれかの箇所で水滴となって落下するおそれがある。
【００３４】
しかし、本実施形態の接続体装置１は、立設筒部２２と接続体１０とに跨って熱収縮チューブ３０が設けられているので、接続体１０に生じた結露水は立設筒部２２と接続体１０の接続部１２との間に浸入することがなく、したがって、水切り壁２３に沿って管体４０の外面に落下することもなく、貫通孔２１を通って管体４０と断熱材４１との間に流れ込むこともない。
【００３５】
これにより、接続体１０の外面に発生した結露水が好ましくない箇所に落下してその周辺部が汚れるのを防止できる。また、断熱材４１内に結露水が浸入していずれかの箇所で染み出て落下したり、断熱材４１が腐食したりかびが発生するのを防止できる。
【００３６】
更に、接続体装置１は、水切り壁２３の裏面２３ｂ側に当接環状部２５が立設され、その内部に断熱材４１の端部４３を受け入れる受け部２６が設けられ、また、水切り壁２３の端縁２３ａが、当接環状部２５の外面を超えて垂直方向に突出しているので、水切り壁２３の手前で水切り壁２３に沿って流れ落ちる結露水が水切り壁２３の裏面２３ｂ側の断熱材４１にまで回り込むのが防止される。そして、水切り壁２３の端縁２３ａが当接環状部２５の外面を超えて突出していることにより、水切り壁２３に沿って流れ落ちてきた結露水は端縁２３ａからその下方に設置されているドレンパン等の容器内に滴下する、したがって、結露水は特定箇所に導かれて排出されることになる。
【００３７】
加えて、当接環状部２５の先端開口２５ｂの周辺部が断熱材４１の外面に当接しているので、外気が当接環状部２５の先端開口２５ｂと断熱材４１の外面との隙間内に流入することはほとんどないのであるが、図５の破線矢印で示すように、仮にその隙間内に外気が流入したとしても、水切り壁２３の裏面２３ｂと断熱材４１の端面４２との間がコーキング剤等の充填や接着などにより気密状態に封止されているので、この隙間を通って管体４０側にまで流入するのが防止される。このため、外気が水切り壁２３の裏面２３ｂと断熱材４１の端面４２との間から流入し、更に管体４０側に流入して管体４０に沿って流れたときに、冷水が通流する管体４０の外面と接触して外気中の水分が冷却され、管体４０の外面に結露が発生する、という不具合が発生するのを確実に防止できる。
【００３８】
加えて、水切り壁２３は円板状をなし断熱材４１の端面４２の全体を覆うから、水切り部材２０を、水切り壁２３の中心を軸とする周方向のいずれの角度に設置した場合でも、常に結露水を水切り壁２３の前方の周辺において垂直下方に落下させて一定箇所に排出させることができる。
【００３９】
ところで、上記実施形態の水切り壁２３は、断熱材４１及び当接環状部２５より大きい外径を有し、断熱材４１の端面４２の全体を覆っているが、これに限られるものではなく、図８及び図９に示すように、水切り壁２３を断熱材４１及び当接環状部２５より小さい外径に形成するなどして、断熱材４１の端面４２の一部を覆うものとしてもよい。なお、図８及び図９に示す外径の小さい水切り壁２３は、その外周縁の一部に接続体１０側に一定高さで突出する左右一対のガイド壁２８，２８が立設され、このガイド壁２８，２８の内側に結露水が排出される排出路２９が設けられている。この水切り部材２０では、水切り壁２３の前方であるいは水切り壁２３に沿って落下する結露水は、排出路２９に導かれた後、図示しないドレンパン等の容器内に滴下する。
【００４０】
〈第二実施形態〉
次に、本発明の第二実施形態の接続体装置１を図１０及び図１１に基づいて説明する。第一実施形態の接続体装置１は、水切り部材２０の立設筒部２２には接続体１０の接続部１２が挿入され、熱収縮チューブ３０は立設筒部２２と接続体１０の円筒部１４とに跨って配置されているのに対し、第二実施形態の接続体装置１は、立設筒部２２には管体４０のみが挿入され、熱収縮チューブ３０は立設筒部２２と管体４０とに跨って配置されている点において、第一実施形態の接続体装置１と相違する。そこで、第二実施形態では、第一実施形態と異なる点を中心に説明する。
【００４１】
第二実施形態の接続体１０は、図１０に示すように、水切り部材２０の立設筒部２２から所定距離離間して配設されており、管体４０は、立設筒部２２を超えて接続体１０にまで延び、立設筒部２２と接続体１０との間の部分は露出した状態にある。
【００４２】
立設筒部２２は、断面円環状の管体４０の外形に対応させて円筒形状に形成されており、内径は管体４０の外径と略同一に形成されている。すなわち、立設筒部２２は、第一実施形態のものより小径で、内部には管体４０のみが挿通している。なお、水切り壁２３は第一実施形態と同様に一定厚の円板状に形成されている。
【００４３】
熱収縮チューブ３０は、加熱することにより収縮して、図１１に示すように、立設筒部２２の外面及び管体４０の外面に密接する。この場合、熱収縮チューブ３０は、第一実施形態と同様に、立設筒部２２及び管体４０に密接する側の面である内面３１には、熱溶融する接着層を設けてもよい。
【００４４】
第二実施形態においては、図１０に示すように、管体４０の端部４３は、立設筒部２２と接続体１０との間の部分は断熱材４１が外装されておらず外気に露出しているので、管体４０の内部に冷水が通流すると、この露出部分と接続体１０の外面には結露が発生する。その結露は結露水となって管体４０の外面を伝い、図１０の左方向に流れて貫通孔２１から管体４０と断熱材４１との間に浸入しようとする。しかし、熱収縮チューブ３０が立設筒部２２と管体４０とに跨って配置され立設筒部２２の外面及び管体４０の外面に密接しているので、結露水が管体４０と立設筒部２２との間から貫通孔２１を通り抜け管体４０と断熱材４１との間に浸入するのが防止され、管体４０の途中のいずれかの箇所で落下するのが防止される。
【００４５】
ところで、上記第一実施形態及び第二実施形態の立設筒部２２は、それぞれ八角筒状及び円筒状に形成されているが、これらの形状に限定されるものではなく、挿入される接続体１０の接続部１２や管体４０の外形状に対応して四角筒状、六角筒状等任意の形状に形成される。
【００４６】
更に、上記実施形態の水切り壁２３は、一定厚の円板状等に形成されているが、この形状に限定されるものではない。
また、水切り壁２３の端縁２３ａは、当接環状部２５の外面を超えて外方にまで延びているが、前記外面から突出していなくてもよい。
加えて、水切り壁２３に設けられた貫通孔２１には、管体４０が貫通しているが、これに限られるものではなく、図示しないが、管体４０及びこの端部４３に接続された接続体１０の双方が貫通したものであってもよく、あるいは、接続体１０のみが貫通したものであってもよい。
【００４７】
そして、上記実施形態では、水切り壁２３の裏面２３ｂと断熱材４１の端面４２との間はコーキング剤等の充填や接着により封止されているが、封止しないものとしてもよい。
【００４８】
加えて、当接環状部２５は、先端開口２５ｂ側に向けて僅かに断熱材４１側に傾斜しているが、必ずしも傾斜させる必要はない。
【００４９】
また、水切り部材２０は、水切り壁２３の裏面２３ｂ側に当接環状部２５を設け、その内部の受け部２６に断熱材４１の端部４３を受け入れているが、本発明を実施する場合は、当接環状部２５や受け部２６を設けないものとしてもよい。
【００５０】
加えて、上記各実施形態では、立設筒部２２と接続体１０あるいは管体４０とに跨って熱収縮チューブ３０を配置しているが、熱収縮チューブ３０ではなく、例えば、帯状シートを接続体１０の円筒部１４等と立設筒部２２とに跨って巻回した後加熱して収縮させるものとしてもよい。
【００５１】
そして、上記実施形態では、水切り壁２３に沿ってあるいはその周辺で下方に滴下する結露水を床面等に設置したドレンパンなどの容器に受けるようにしているが、図８及び図９に示した排出路２９のような貫通孔２１から離間する方向に延びた先端部に接続口を設け、これにドレン管を接続して結露水を排出するようにしてもよい。
【００５２】
なお、上記実施形態は、接続体１０として、弁体及び操作部１１を有する継手を例示しているが、本発明の接続体装置１の接続体１０は、これらの弁体や操作部１１を有せず、単に接続を行なうために使用される継手などである場合にも同様に適用される。
【符号の説明】
【００５３】
１  接続体装置                      ２６  受け部
１０  接続体                          ２７  封止材
２０  水切り部材                      ３０  熱収縮チューブ
２１  貫通孔                          ３１  内面
２２  立設筒部                        ４０  管体
２３  水切り壁                        ４１  断熱材
２３ａ  端縁                          ４２  端面
２４  当接部                          ４３  端部
２５  当接環状部
【図１】
2018132148.tif 000003
【図２】
2018132148.tif 000004
【図３】
2018132148.tif 000005
【図４】
2018132148.tif 000006
【図５】
2018132148.tif 000007
【図６】
2018132148.tif 000008
【図７】
2018132148.tif 000009
【図８】
2018132148.tif 000010
【図９】
2018132148.tif 000011
【図１０】
2018132148.tif 000012
【図１１】
2018132148.tif 000013